(57)【特許請求の範囲】
【請求項１】
灌漑散布装置に用いる散布ヘッド２であり、該散布ヘッド２が扇形の円周範囲の角度で散布される出水を調整することができる散布装置であって、台座１および散布ヘッド２を含み、散布ヘッド２が台座１の上端に設けられ、該台座１がソケット１１およびハウジング１３を含み、前記散布ヘッド２がソケット１１に結合され、このうち散布ヘッド２が、
螺接部２１４および拡大部２１１が設けられ、このうち拡大部２１１から螺接部２１４が延伸、形成されるベース２１と；
上部２２１ａおよび下部２２１ｂが設けられ、上部２２１ａが管壁２２６を有し、このうち管壁２２６に螺旋凸リブ２２５が設けられ、該螺旋凸リブ２２５が径方向に取り囲んで管壁２２６を形成し、螺旋凸リブ２２５が管壁２２６面に沿って、螺旋状に低部から高部まで取り囲んでいるカラー２２と；
制御部２４１、接触部２４２、組付部２４３および貫通孔２４３ａが設けられ、該接触部２４２が第１接触面２４２ａおよび第２接触面２４２ｂ、第３接触面２４２ｂ’を有し、該第１接触面２４２ａが螺旋形錘面であり、該第２接触面２４２ｂが螺旋形凹弧錘面であり、該第３接触面２４２ｂ’が螺旋面である調整部材２４と
を含み、前記ベース２１の螺接部２１４は、前記カラー２２の管壁２２６の内側を通って前記調整部材２４の組付部２４３に螺合するように構成される、散布装置。
【請求項２】
該上部２２１ａに第１擁壁２２３および第２擁壁２２４が設けられ、該第１擁壁２２３の端面が螺旋形円錐面２２３ａであり、該螺旋形円錐面２２３ａに凸部２２３ｂが設けられ、前記第２擁壁２２４の端面も第１擁壁２２３の螺旋形円錐面２２３ａと対応する螺旋形円錐面２２４ａを有し、このうち調整部材２４の第１接触面２４２ａ、第２接触面２４２ｂは、螺旋円錐面の形状で、カラー２２の第１擁壁２２３および第２擁壁２２４に符合し、調整部材２４を回転させることにより、第１接触面２４２ａおよび第１擁壁２２３の２つの相対する螺旋面がずれて、第３出水間隙Ｃである高低差を形成することができ、さらに第２接触面２４２ｂおよび第２擁壁２２４の２つの相対する螺旋面がずれて、第２出水間隙Ｂである高低差が形成され、このうち螺旋凸リブ２２５および第３接触面２４２ｂ’が相対する螺旋面であり、調整部材２４が回転してずれることにより、第１出水間隙Ａである高低差が形成される、請求項１に記載の散布装置。
【請求項３】
散布ヘッド２から花に散布、出水されるとき、水流が１個以上の出水間隙により分配、出水され、水流は螺旋凸リブ２２５および第３接触面２４２ｂ’の間の第１出水間隙Ａにより分配されてから、調整部材２４の第２接触面２４２ｂおよび第２擁壁２２４の間に形成される第２出水間隙Ｂにより、最後に円周状に均等に分配され、第３出水間隙Ｃに沿って出水され、花に散布される、請求項２に記載の散布装置。
【請求項４】
ソケット１１に収容部１１３が設けられ、該収容部１１３が管状で、散布ヘッド２が装着され、さらにソケット１１の内径の底端に留め部１１２が設けられ、このうちハウジング１３に環状凹部およびフック部１３４が設けられ、該環状凹部に止水環を嵌入させ、さらにハウジング１３のフック部１３４をソケット１１の留め部１１２に係合させて、ハウジング１３およびソケット１１を結合する、請求項１に記載の散布装置。
【請求項５】
カラー２２の下部２２１ｂが、超音波によりソケット１１の収容部１１３に接着、結合される、請求項１に記載の散布装置。
【請求項６】
ソケット１１から延伸して押部１１４が設けられ、散布装置が押部１１４により、散布方向の調整を行うことができる、請求項１に記載の散布装置。
【請求項７】
第１擁壁２２３および第２擁壁２２４の間に連結部２２８が設けられ、連結部２２８の底面にくぼみ２２８ａが形成され、該くぼみ２２８ａの底面が平面であり、第１擁壁２２３の螺旋形円錐面２２３ａに凸部２２３ｂが設けられる、請求項３に記載の散布装置。  
【請求項８】
第２擁壁２２４の螺旋形円錐面２２４ａおよび第１擁壁２２３の螺旋形円錐面２２３ａは、低部から高部に向かって螺旋状に延伸する傾斜面である、請求項３に記載の散布装置。
【請求項９】
ベース２１の拡大部２１１から段状部２１２が延伸、形成され、段状部２１２に第１制限溝２１２ａおよび第２制限溝２１２ｂが設けられる、請求項１に記載の散布装置。
【請求項１０】
段状部２１２から螺接部２１４およびリング溝が延伸、形成され、該リング溝に止水環を嵌入させ、該螺接部２１４の末端に嵌合部２１５が設けられる、請求項９に記載の散布装置。
【請求項１１】
灌漑散布装置に用いる散布ヘッド２であり、該散布ヘッド２が扇形の円周範囲の角度で散布される出水を調整することができる散布装置であって、台座１および散布ヘッド２を含み、散布ヘッド２が台座１の上端に設けられ、散布ヘッド２がベース２１、カラー２２、止水環および調整部材２４、及び穿孔２５１ａを有する留め具２５を含み、前記ベース２１に螺接部２１４および拡大部２１１が設けられ、該拡大部２１１の一端から螺接部２１４が延伸、形成され、該螺接部２１４の末端に嵌合部２１５が設けられ、さらに前記カラー２２に上部２２１ａおよび下部２２１ｂが設けられ、このうち該カラー２２の上部２２１ａが管壁２２６を有し、このうち管壁２２６に螺旋凸リブ２２５が設けられ、該螺旋凸リブ２２５が径方向に取り囲んで管壁２２６を形成し、螺旋凸リブ２２５が管壁２２６の底面から螺旋状に低部から高部まで取り囲んでおり、さらに該調整部材２４に制御部２４１、接触部２４２、組付部２４３および貫通孔２４３ａが設けられ、前記接触部２４２が第１接触面２４２ａ、第２接触面２４２ｂ、及び第３接触面２４２ｂ’を有し、該第１接触面２４２ａが螺旋形錘面であり、該第２接触面２４２ｂが螺旋形凹弧錘面であり、該第３接触面２４２ｂ’が螺旋面であり、前記上部２２１ａに第１擁壁２２３および第２擁壁２２４が設けられ、前記第１接触面２４２ａは前記第１擁壁２２３に符合し、前記第２接触面２４２ｂは前記第２擁壁２２４に符合し、前記調整部材２４を回転させることにより、前記第１接触面２４２ａおよび前記第１擁壁２２３の２つの相対する螺旋面がずれて、第３出水間隙Ｃである高低差を形成することができ、さらに前記第２接触面２４２ｂおよび前記第２擁壁２２４の２つの相対する螺旋面がずれて、第２出水間隙Ｂである高低差が形成され、前記螺旋凸リブ２２５および前記第３接触面２４２ｂ’が相対する螺旋面であり、調整部材２４が回転してずれることにより、第１出水間隙Ａである高低差が形成され、前記止水環は、該ベース２１の螺接部２１４の一端に嵌入され、前記螺接部２１４は、前記第２擁壁２２４の内側を通って前記調整部材２４の貫通孔２４３ａの雌ネジ２４３ｂに螺合するように構成され、前記嵌合部２１５は、前記貫通孔２４３ａから突出し、前記留め具２５に結合するように構成される散布装置。
【請求項１２】
灌漑散布装置に用いる散布ヘッド２であり、該散布ヘッド２が扇形の円周範囲の角度で散布される出水を調整することができる散布装置であって、台座１および散布ヘッド２を含み、散布ヘッド２が台座１の上端に設けられ、散布ヘッド２がベース２１、カラー２２、第１の止水環、調整部材２４、及び穿孔２５１ａを有する留め具２５を含み、前記ベース２１に螺接部２１４および拡大部２１１が設けられ、該拡大部２１１の一端から螺接部２１４が延伸、形成され、該螺接部２１４の末端に嵌合部２１５が設けられ、前記カラー２２に上部２２１ａおよび下部２２１ｂが設けられ、該上部２２１ａが管壁２２６を有し、このうち管壁２２６に螺旋凸リブ２２５が設けられ、該螺旋凸リブ２２５が径方向に取り囲んで管壁２２６を形成し、螺旋凸リブ２２５が管壁２２６の底面から螺旋状に低部から高部まで取り囲んでおり、管壁２２６に沿って形成され、該調整部材２４に制御部２４１、接触部２４２、組付部２４３および貫通孔２４３ａが設けられ、前記組付部２４３の外側面に沿って凹部２４５が形成され、該凹部２４５の環状壁の一側に、突起状のリブ２４５ａが設けられ、前記接触部２４２が第１接触面２４２ａおよび第２接触面２４２ｂ、第３接触面２４２ｂ’を有し、該第１接触面２４２ａが螺旋形錘面であり、該第２接触面２４２ｂが螺旋形凹弧錘面であり、該第３接触面２４２ｂ’が螺旋面であり、前記第１の止水環は、該ベース２１の螺接部２１４の一端に嵌入され、前記螺接部２１４は、前記管壁２２６の内側を通って前記調整部材２４の貫通孔２４３ａの雌ネジ２４３ｂに螺合するように構成される散布装置。
【請求項１３】
台座１がソケット１１、ハウジング１３および第１の止水環を含み、前記ソケット１１から延伸して押部１１４、留め部１１２および収容部１１３が設けられ、前記ハウジング１３にフック部１３４および環状凹部が設けられ、前記第１の止水環は、前記ハウジング１３の環状凹部に嵌入され、前記ハウジング１３のフック部１３４は、前記ソケット１１に係合し、前記フック部１３４の上端は、前記散布ヘッドのベース２１の下端に接続され、前記カラー２２の下部２２１ｂが前記ソケット１１の収容部１１３に接着するように構成される請求項１２に記載の散布装置。
【請求項１４】
該カラー２２に第１凸リブ２２７ａおよび第２凸リブ２２７ｂが設けられる、請求項１２に記載の散布装置。
【請求項１５】
ベース２１に第１制限溝２１２ａおよび第２制限溝２１２ｂが設けられ、ベース２１およびカラー２２の組合せが、該ベース２１の第１制限溝２１２ａおよび第２制限溝２１２ｂにカラー２２の第１凸リブ２２７ａおよび第２凸リブ２２７ｂを対応させた後、相互に嵌合する、請求項１４に記載の散布装置。
【請求項１６】
調整部材２４の組付部２４３の外側面に沿って凹部２４５が形成され、該凹部２４５の環状壁の一側に突起状のリブ２４５ａが設けられる、請求項１に記載の散布装置。
【請求項１７】
調整部材２４にカバーキャップ２６が嵌設され、カバーキャップ２６にギャップ部２６２が設けられ、調整部材２４の前記リブ２４５ａの突起形状を前記ギャップ部２６２に対応させた後、調整部材２４の前記凹部２４５に重ねる、請求項１２に記載の散布装置。
【請求項１８】
前記留め具２５に、前記穿孔２５１ａを囲む突縁２５１が設けられ、該突縁２５１に数本の溝２５２が設けられ、溝２５２を設けることにより、突縁２５１に弾性を有する数個のリブが形成される、請求項１４に記載の散布装置。
【請求項１９】
該上部２２１ａに第１擁壁２２３および第２擁壁２２４が設けられ、該第１擁壁２２３の端面が螺旋形円錐面２２３ａであり、該螺旋形円錐面２３３ａに凸部２２３ｂが設けられ、前記第２擁壁２２４の端面も第１擁壁２２３の螺旋形円錐面２３３ａと対応する螺旋形円錐面２２４ａを有し、このうち調整部材２４の第１接触面２４２ａ、第２接触面２４２ｂが螺旋円錐面の形状で、カラー２２の第１擁壁２２３および第２擁壁２２４に符合し、調整部材２４を回転させることにより、第１接触面２４２ａおよび第１擁壁２２３の２つの相対する螺旋面がずれて、第３出水間隙Ｃである高低差を形成することができ、さらに第２接触面２４２ｂおよび第２擁壁２２４の２つの相対する螺旋面がずれて、第２出水間隙Ｂである高低差が形成され、螺旋凸リブ２２５および第３接触面２４２ｂ’が相対する螺旋面であり、調整部材２４が回転してずれることにより、第１出水間隙Ａである高低差が形成される、請求項１２に記載の散布装置。
【請求項２０】
散布ヘッド２から花に散布、出水されるとき、水流が１個以上の出水間隙により分配、出水され、水流は螺旋凸リブ２２５および第３接触面２４２ｂ’の間の第１出水間隙Ａにより分配されてから、調整部材２４の第２接触面２４２ｂおよび第２擁壁２２４の間に形成される第２出水間隙Ｂにより、最後に円周状に均等に分配され、第３出水間隙Ｃに沿って出水され、花に散布される、請求項１９に記載の散布装置。
【請求項２１】
該螺接部２１４の一端に嵌合部２１５が設けられる、請求項１に記載の散布装置。
【発明の詳細な説明】
【技術分野】
【０００１】
本発明は水の散水ノズルに関し、特に地面に据えるか、または地表に挿入もしくは埋設し、出水、散布を１つの扇形領域にすることができ、水の分布パターンを変更、調整することができる散水ノズル装置に関する。
【背景技術】
【０００２】
このタイプは出水を調整、変更することができる散水ノズルであり、例えば米国特許第４５７９２８５号、米国特許第５２０５４９１号、米国特許第５５５６０３６号および米国特許第６４４３３７２号、米国特許第６７６９６３３号である。一般に、これらは開口を形成する一端を水源に連結することができるハウジングと、１つの出口がハウジングに位置する散布ヘッドとを含む。このうち、中空状のハウジングの上面に内部と通じる数個の穿孔が形成され、中央にネジ穴を有する中央台が形成される。また、中空状のハウジングに、ハウジングに固定する散布ヘッドを結合することができる。散布ヘッドに上蓋および下蓋が設けられ、さらに上蓋および下蓋の端面は相対して錐状に形成される。該錐状部に螺旋面を形成し、該螺旋面の終点の高低差はストッパーとすることができる。また、これにネジ穴が相対して設けられ、スタッドボルトがネジ穴を通過してハウジング内部に結合される。散布ヘッドの上蓋が回転して下蓋に向かって終点まで移動するとき、上蓋の螺旋面は下蓋の出口を閉鎖し、さらに同時に２つの相対する位置に設計された螺旋面に設けられる２つのストッパーも、相互に接触して遮断する。出口が上蓋に閉鎖されるため、ハウジングの底端から進入する水は各穿孔を通過した後、出口から吹き出すことができず、これは「水を散布しない」状態である。さらに、逆方向に上蓋を回転させると、下蓋が出口を開き、出口から散布される水の扇形の角度の変化を選択することができる。
【０００３】
さらに、米国特許第６７６９６３３号は本体、調節環、上蓋および制限スクリュから構成され、その特徴は次の通りである。該本体はおおよそ中空の筒状体であり、内側のおおよそ中央の位置に環状体が設けられ、いくつかの連結片により該中空の筒状体と連結され、さらに該中空の筒状体の上端に階層縁が設けられる。該調節環は、下側でいくつかの連結片によりナットチューブを連結、設置して構成される階層の環状体であり、該環状体の上端面の開口縁に、歯状の螺旋型突状環が設けられ、さらに該突状環の内縁に開口状の斜面が設けられる。該上蓋はおおよそ漏斗型の蓋体であり、その下段中央に順番にスクリュおよびソケットが設けられ、中央に蓋体全体を貫通する貫通孔が設けられる。該ソケットの周壁にいくつかの溝が間隔をあけて設けられ、該ソケットの末端の外縁に環状突起が設けられる。
直接、調節環を本体の階層縁に装着し、さらに上蓋のスクリュを該調節環のナットチューブに装入し、該スクリュの下端のソケットを該本体の環状体に差し込む。該ソケットの突状環を該環状体の下縁端面に係止してこれを定位し、該本体、調節環および上蓋の３つの部材を一体に組み合わせることができる。最後に、制限スクリュを該本体の下方向から該上蓋のスクリュおよびソケットの貫通孔に装入して、該ソケットが、縮小したり上に抜けたりすることが起こらないように制限する。
【０００４】
しかしながら、これらの引用文献は該下蓋の内径からその出口の径が同じ幅の水路のものであり、言い換えると、出水圧は、直接この出水路から開放されている。相対する該水路は出水圧を均等に分配しておらず、扇形での散布は水量の分布が均等でなくなり、また、上蓋および下蓋の２つの相対位置の螺旋面が次第に開いたものである環状の出水の隙間は、その大きさが異なる。したがって、扇形の散布は、水しぶきが大きかったり小さかったりする不均等な状態が生じる。
【０００５】
この種の状況が生じるのを防止するため、このような散水ノズルの状態を改善する。上蓋の螺旋面および下蓋の螺旋面にそれぞれ歯状または段状の構造を設け、これらの歯状または段状の構造により、扇形での散布を均等に分布させる。しかし、これにはもう１つの問題が生じる。上蓋および下蓋の相対する螺旋面の適合度が不十分である時、上蓋および下蓋の螺旋面を効果的に密着、当接させることができず、散布ヘッドの開閉機能を達成することができず、散布ヘッドは漏水する状態になることがある。
【０００６】
さらに、米国特許第６４４３３７２号は、散水器ノズル構造の改良であり、その特徴は次の通りである。該蓋体には第１螺旋面の底縁に沿って階段状の環状凸体が設けられ、蓋体底端の円管体の外周は直接ネジ山に成型され、下本体の螺合部を固定して結合することができる。該上本体は上端面に近い部分で、管壁から内側に、第２螺旋面と対応する第３螺旋面が延伸して設けられ、該第３螺旋面の内径に、蓋体における階段状の環状凸体のより大きい外径をちょうど嵌入、密着させることができる。さらに、該第３螺旋面の高低面により形成される縦方向の段差面は、その螺旋面の最高点部分で上向きに第１止水片を突出、延伸し、該第一止水片に内向きに傾斜面が設けられる。また、第１遮断片の位置に相対して、第３螺旋面の内径の壁面位置に第２遮断片が設けられる。このほか、上本体の内管壁の所定の部分に定位用突起が設けられる。この案の特徴の要点は、蓋体に、第１螺旋面の底縁に沿って、第３螺旋面の内径に嵌入、密着させる階段状の環状凸体のより大きい外径が設けられて、水流を阻止し、漏水を防止することである。しかしながら、生じる問題として、階段状の環状凸体のより大きい外径を第３螺旋面の内径に嵌入、密着させるときに、密着、当接しすぎるため、調整時に回転が容易でないことがある。
【０００７】
したがって、本発明は散布ヘッドの構造を改善する。主に散布ヘッドの散布面積において、出水が不均等である欠陥を改善し、散布ヘッドの散布範囲を調整した出水をより均等にすることを目的とする。
【先行技術文献】
【特許文献】
【０００８】
【特許文献１】米国特許第４５７９２８５号
【特許文献２】米国特許第５２０５４９１号
【特許文献３】米国特許第５５５６０３６号
【特許文献４】米国特許第６４４３３７２号
【特許文献５】米国特許第６７６９６３３号
【発明の概要】
【課題を解決するための手段】
【０００９】
本発明の散布装置は台座および散布ヘッドを有し、散布ヘッドは台座の上端に設けられる。このうち、台座はソケット、第１止水環、ハウジングおよび第２止水環を含み、前記散布ヘッドはソケットに結合される。このうち、散布ヘッドはベース、カラー、第３止水環、調整部材、留め具およびカバーキャップを含む。
【００１０】
このうち、カラーに第１擁壁、第２擁壁およびくぼみが設けられ、前記第１擁壁の端面は螺旋形円錐面であり、前述した第２擁壁の端面も第１擁壁の螺旋形円錐面と対応する螺旋形円錐面を有する。第１擁壁はカラーの外側に設けられ、第２擁壁は第１擁壁の内側に設けられる。さらに第２擁壁の１端面に突起が設けられ、該突起は斜面であり、その傾斜高度は第２擁壁の螺旋形円錐面より高い。前述した第２擁壁は第１出水路および螺旋凸リブを形成し、該螺旋凸リブは第２擁壁の内径に設けられる。正確に述べると、螺旋凸リブは第２擁壁の内径を取り囲む。前記くぼみはカラーの連結部の底面に設けられ、これは第１擁壁および第２擁壁の２つの囲いの間に形成される連結部底面のくぼみであり、くぼみの底面は平面状である。
【００１１】
さらに前述した調整部材に制御部、接触部および組付部が設けられ、前記接触部は第１接触面および第２接触面、第３接触面を有する。該第１接触面は螺旋形円錐面であり、前記接触部は制御部から延伸、形成される。前記組付部に貫通孔が設けられ、該貫通孔の内径に雌ネジが設けられる。該第２接触面はカラーの第２擁壁の螺旋形円錐面に対応し、該第３接触面は螺旋凸リブに対応する。これはカラーの第１出水路の径にちょうど符合することができ、第１出水路の出水状態を閉鎖または調整することができる。
【００１２】
さらに、前述した調整部材の第１接触面は螺旋円錐面であり、該螺旋面は低部から高部に旋回し、第１接触面の形状はカラーの第１擁壁の螺旋形円錐面および突起の斜面形状に符合する。さらに説明すると、該突起は調整部材の第１接触面に達することができ、隔てる壁とする。調整部材を径方向に回転させることにより、出水間隙を形成することができ、言い換えると、調整部材を回転させると、出水間隙の径方向の幅を広げるか、または出水間隙の径方向の幅を縮小することができ、扇形で散布される水の角度の変化を選択する。
【図面の簡単な説明】
【００１３】
【図１】図１は、本発明の散布ヘッドの立体分解図１である。
【図２】図２は、本発明の散布ヘッドの立体分解図２である。
【図３】図３は、本発明の散布ヘッドの分解側面図である。
【図４】図４は、本発明のカラーの組合せ立体配置図１である。
【図５】図５は、本発明のカラーの組合せ立体配置図２である。
【図６】図６は、本発明の立体分解図である。
【図７】図７は、本発明の立体状態図である。
【図８】図８は、本発明の実施状態における、水路の断面の概要図１である。
【図８−１】図８−１は、図８の実施状態の拡大概要図である。
【図９】図９は、本発明の実施状態における、水路の断面の概要図２である。
【図１０】図１０は、本発明の別の操作の実施状態における概要図である。
【発明を実施するための形態】
【００１４】
本発明を十分に理解できるようにするため、以下に実例を挙げ、さらに附図を組み合わせて詳細な説明を行う。さらに本発明の好ましい実施例の図を組み合わせ、以下のようにさらなる説明を行い、これにより、当業者が本明細書の記載に基づいて実施することができることを期待する。なお、これは本発明の技術範囲を限定するものではない。
【実施例】
【００１５】
まず、図１から図５を組み合わせて参照されたい。図１から図５に示すように、本発明の散布装置は台座１および散布ヘッド２を有し、該散布ヘッド２は台座１の上端に設けられる。このうち台座１はソケット１１、第１止水環１２、ハウジング１３および第２止水環１４を含み、前記散水ヘッド２はソケット１１に結合される。
【００１６】
前記散布ヘッド２コンポーネントは、図１から図３に示すように、ベース２１、カラー２２、第３止水環２３、調整部材２４、留め具２５およびカバーキャップ２６を含む。
【００１７】
前述したベース２１に拡大部２１１、螺接部２１４および水流通路２１３が設けられる。該拡大部２１１から段状部２１２が延伸、形成され、段状部２１２に第１制限溝２１２ａおよび第２制限溝２１２ｂが設けられる。段状部２１２からさらに螺接部２１４およびリング溝２１４ａが延伸、形成され、リング溝２１４ａに第３止水環２３を嵌入させる。該螺接部２１４の末端に嵌合部２１５が設けられ、さらに該螺接部２１４は調整部材２４の接触部２４２の貫通孔２４３ａ内に組み付けられる。さらに段状部２１２に、螺接部２１４を軸心として間隔をあけて取り囲む数本のリブが延伸され、これにより、数個の水流通路２１３が形成される。
【００１８】
前記カラー２２に上部２２１ａおよび下部２２１ｂが設けられ、該上部２２１ａに第１擁壁２２３、第２擁壁２２４および連結部２２８が設けられる。前記第１擁壁２２３の端面は螺旋形円錐面２２３ａであり、螺旋形円錐面２２３ａに凸部２２３ｂが設けられる。前記第２擁壁２２４の端面にも第１擁壁２２３の螺旋形円錐面２２３ａと対応する螺旋形円錐面２２４ａを有し、第１擁壁２２３はカラー２２の外側に設けられ、第２擁壁２２４は第１擁壁２２３の内側に設けられる。さらに、第２擁壁２２４の１端面に突起２２４ｂが設けられ、該突起２２４ｂは斜面であり、その傾斜高度は第２擁壁２２４の螺旋形円錐面２２４ａより高い。前述した第２擁壁２２４は第１出水路２２６ａおよび螺旋凸リブ２２５を形成し、該螺旋凸リブ２２５は第２擁壁２２４の内径に設けられる。正確に述べると、螺旋凸リブ２２５は第２擁壁２２４の内径を取り囲む。前記くぼみ２２８ａはカラー２２の連結部２２８の底面に設けられ、これは第１擁壁２２３および第２擁壁２２４の２つの囲いの間に形成される連結部２２８底面のくぼみ２２８ａであり、該くぼみ２２８ａの底面は平面状である。
【００１９】
前述した調整部材２４に制御部２４１、接触部２４２、組付部２４３、凹部２４５、貫通孔２４３ａおよびリブ２４５ａが設けられ、前記接触部２４２は第１接触面２４２ａ、第２接触面２４２ｂおよび第３接触面２４２ｂ’を有する。該第１接触面２４２ａは螺旋形錘面であり、前記接触部２４２は制御部２４１から延伸、形成される。前記組付部２４３に貫通孔２４３ａが設けられ、該貫通孔２４３ａの内径に雌ネジ２４３ｂが設けられる。該第２接触面２４２ｂは凹弧状の螺旋形錘面であり、第２接触面２４２ｂの最大径は、カラー２２の第１出水路２２６ａの径にちょうど符合することができる。さらに第２接触面２４２ｂの末端に第３接触面２４２ｂ’が形成される。カラー２２の第１擁壁２２３および第２擁壁２２４と螺旋凸リブ２２５を組み合わせることにより、第１出水路２２６ａの出水状態を閉鎖または調整することができる。さらに凹部２４５は組付部２４３の外径に形成され、凹部２４５の環状壁の一側にリブ２４５ａが設けられる。
【００２０】
前記留め具２５に突縁２５１が設けられ、該突縁２５１に数本の溝２５２が設けられ、溝２５２を設けることにより、突縁２５１に弾性を有する数個のリブが形成される。つまり、数個の弾性リブから突縁２５１が形成され、弾性のリブが穿孔２５１ａを囲む。
【００２１】
特に説明することとして、該第１接触面２４２ａの螺旋錘面は低部から高部に旋回する。さらに、該第２接触面２４２ｂは凹弧状の螺旋形錘面が低部から高部に旋回したものであり、その底端に第３接触面２４２ｂ’が形成され、第３接触面２４２ｂ’は螺旋面である。
【００２２】
上記を受けて、第１接触面２４２ａ、第２接触面２４２ｂの形状は、カラー２２の第１擁壁２２３および第２擁壁２２４の螺旋形円錐面２２３ａ、２２４ａの形状と符合する。さらに説明すると、該調整部材２４を径方向に回転させることにより、第２出水間隙Ｂおよび第３出水間隙Ｃを同時に形成することができる。言い換えると、調整部材２４を回転させると、第２出水間隙Ｂおよび第３出水間隙Ｃの径方向の幅を広げるか、または第２出水間隙Ｂおよび第３出水間隙Ｃの径方向の幅を縮小することができ、扇形で散布される水の角度の変化を選択する。
【００２３】
その特徴は図４に示す通りである。上から見るとカラー２２の第２擁壁２２４は管壁２２６を有し、該管壁２２６は第１出水路２２６ａを形成する。このうち、管壁２２６に螺旋凸リブ２２５が設けられ、該螺旋凸リブ２２５が径方向に取り囲んで管壁２２６を形成する。図５に示すように、下方からカラー２２を見ると、くぼみ２２８ａ、第１凸リブ２２７ａおよび第２凸リブ２２７ｂを有することを確認することができ、さらに螺旋凸リブ２２５がくぼみ２２８ａの底面に沿って螺旋状に取り囲み、管壁２２６が延伸、形成されることが確認される。
【００２４】
続いて、該散布ヘッド２の組立方式は順番に次の通りである。ベース２１の螺接部２１４をカラー２２の第２擁壁２２４から通過させ、続いて、螺接部２１４の一端の嵌合部２１５を調整部材２４の貫通孔２４３ａに挿入し、その上端の嵌合部２１５を組付部２４３から突出させ、貫通孔２４３ａの雌ネジ２４３ｂに螺接する。さらに嵌合部２１５を留め具２５の突縁２５１に挿入すると、突縁２５１の弾性のため、嵌合部２１５は穿孔２５１ａの口径を広げて拡大する。嵌合部２１５が穿孔２５１ａを通過すると、該突縁２５１の穿孔２５１ａは元の口径に戻り、これにより留め具２５は嵌合部２１５の位置を制限する。留め具２５の外径は組付部２４３より大きく、ベース２１は組付部２４３に係合されるため、ベース２１をカラー２２および調整部材２４に係着させることができる。言い換えると、留め具２５およびベース２１の拡大部２１１が調整部材２４およびカラー２２を上下で締め付けることにより、その組合せは分離することはない。最後に、カバーキャップ２６のギャップ部２６２を調整部材２４のリブ２４５ａに対応させてから、凹部２４５に重ねる。
【００２５】
散布ヘッド２において、扇形の円周の出水角度を調整する動作は以下の通りである。径方向に調整部材２４を回転させると、カラー２２の第１擁壁２２３および調整部材２４の第１接触面２４２ａの２つの相対する螺旋面の終点が第３出水間隙Ｃである高低差を形成し、第２擁壁２２４および第２接触面２４２ｂは第２出水間隙Ｂである高低差を形成する。このうち、突起２２４ｂは第２出水間隙Ｂの１つの開放角を隔てる擁壁である。調整部材２４を径方向に回転させることにより、その相対する螺旋面が次第にずれて、高低差である第２出水間隙Ｂ、第３出水間隙Ｃが次第に広がって拡大し、１つの扇形の円周で出水される散布パターンが産生される。図８および図８−１に示すように、その最大の出水の円周角度は約３６０℃である。調整部材２４を反対方向に回転させると、第２擁壁２２４および第２接触面２４２ｂの２つの相対する螺旋面が次第に適合し、同時に第１擁壁２２３および第１接触面２４２ａの２つの相対する螺旋面も次第に適合し、部分的に緊密に重なる。図９に示すように、大部分の出水を閉鎖することができ、扇形の円周が径方向に相対して重なり、さらに大部分の出水が閉鎖される。第２出水間隙Ｂ、第３出水間隙Ｃは最小出水状態を示し、円周角度を５度以下にすることができる。上記のように、使用者は必要な出水の円周角度に基づいて調整部材２４を回転させる。
【００２６】
また、本発明の散布、出水状態の均等な分配に関して、調整部材２４を３６０度の出水状態まで回転させると、水流が台座１の水路空間１３１ａからベースの水流通路２１３に進入し、さらにカラー２２の第１出水路２２６ａに進入する。このとき、水流はまず螺旋凸リブ２２５から進入すると、第１出水間隙Ａから第１出水路２２６ａに流れ、さらに第２出水間隙Ｂを経て、最後に第３出水間隙Ｃから出水されるように誘導される。このうち、螺旋凸リブ２２５および第３接触面２４２ｂ’が相互にずれて、第１出水間隙Ａの開放状態である高低の落差が形成される。図８−１の部分拡大図から、水流の出水状態への誘導が、まず第１出水間隙Ａを経過し、さらに第２出水間隙Ｂを経て、２回均等に分配され、最後に第１接触面２４２ａおよび第１擁壁２２３の第３出水間隙Ｃに沿って散布、出水されることをよりはっきりと確認することができる。
【００２７】
特に説明することは、螺旋凸リブ２２５および第３接触面２４２ｂ’の相互に対応する螺旋面に関する。調整部材２４を回転させると、螺旋凸リブ２２５および第３接触面２４２ｂ’が互いに高低差を生じることができ、この高低差が第１出水路２２６ａの第１出水間隙Ａである。このとき、カラー２２の第２擁壁２２４および調整部材２４の第２接触面２４２ｂの２つの相対する螺旋面にも高低差が形成される。突起２２４ｂが第１接触面２４２ａに達することにより、第２出水間隙Ｂを開放および閉鎖する分離端が形成される。言い換えると、調整部材２４を径方向に回転させることにより、螺旋凸リブ２２５および第３接触面２４２ｂ’の２つの相対する螺旋面を次第にずらして、第１出水間隙Ａを形成させることができる。したがって、水流は第１出水間隙Ａによりまず均等に分散、分配されてから、第２出水間隙Ｂを経て、第３出水間隙Ｃに沿って、上向きに傾斜した扇形面で出水される１つの散布パターンが産生される。この種の出水における扇形の円周の出水角度は最大３６０度に達することができる。さらに、図９に示すように、調整部材２４を反対方向に回転させると、第１擁壁２２３およびその第１接触面２４２ａの２つの相対する螺旋面が次第に適合し、同時に螺旋凸リブ２２５および第３接触面２４２ｂ’の２つの相対する螺旋面の大部分が緊密に重なる。このように、大部分の第１出水間隙Ａ，第２出水間隙Ｂおよび第３出水間隙Ｃを閉鎖することができ、第３出水間隙Ｃの扇形の円周の出水角度が縮小される。その扇形の円周の最小出水角度は、５度以下まで縮小させることができる。
【００２８】
上記のように、水流が散布ヘッド２から花に散布、出水される。水流はまず螺旋凸リブ２２５および第３接触面２４２ｂ’の間の第１出水間隙Ａにより最初に分散、分配され、これにより出水が１回目に円周状に分散、分配される。さらに第２接触面２４２ｂは凹弧状であり、その凹弧状の特徴によって、出水する水をよりスムーズに誘導することもできる。このように、第１出水間隙Ａから第２出水間隙Ｂに移動するとき、水流は弧状に変化して誘導されて２回目の分配が行われ、最後に分配された水が第３出水間隙Ｃに沿って円周状に分配されて花に散布、出水される。
【００２９】
上記を受け、カラー２２に予め設けられた第１擁壁２２３は、外側に傾斜した設計の螺旋円錐面２２３ａであり、その上に設けられた凸部２２３ｂも螺旋円錐面２２３ａを取り囲んでいる。第１擁壁２２３の螺旋円錐面２２３ａおよび第２擁壁２２４の突起２２４ｂは、連結部２２８を隔てる１つの水流擁壁とされ、さらに、これは第１接触面２４２ａと上下の螺旋の相対する縁壁により当接することができる。より正確に述べると、凸部２２３ｂは第１接触面２４２ａに達することができ、凸部２２３ｂは円弧形状の設計が採用されるため、円弧形状の誘導面を有し、この種の設計は出水の誘導をよりスムーズにすることができる。別の説明として、散布ヘッドから花に散布、出水されるとき、水流は１個以上の出水間隙により分配、出水される。水流は螺旋凸リブ２２５および第３接触面２４２ｂ’の間の第１出水間隙Ａにより分配されてから、第２接触面２４２ｂおよび第２擁壁２２４の間に形成される第２出水間隙Ｂにより、最後に円周状に均等に分配され、第１接触面２４２ａおよび第１擁壁２２３の第３出水間隙Ｃに沿って出水され、花に散布される。
【００３０】
ほかに、特に説明することは、上記第２擁壁２２４の突起２２４ｂおよび第１擁壁２２３の間に開放間隙２２４ｃを有することに関する。該開放間隙２２４ｃは連結部２２８に進入するいくらかの水圧を開放することができ、さらには水流を巡らせ、分布がより均等になり、出水、散布状態において、水しぶきが大きかったり小さかったりすることはない。
【００３１】
組み合わせた散布装置はハウジング１３、ソケット１１および散布ヘッド２を含み、前記ハウジング１３は管状体である。該ハウジング１３はネジ山部１３５ａ、フック部１３４および第１環状凹部１３３を有する。ネジ山部１３５ａは水道管に連結することができ、フック部１３４はソケット１１と係合させて水路空間１３１ａを形成する。該ネジ山部１３５ａの一端に第２環状凹部１３５が設けられ、該第２環状凹部１３５に第２止水環１４を嵌入させて、ほかの灌漑装置のコネクタ（図示せず）を外部接続する。該第１環状凹部１３３に第１止水環１２を嵌設する。
【００３２】
さらにソケット１１に収容部１１３が設けられ、該収容部１１３は管状で、散布ヘッド２が装着される。その内径の底端に留め部１１２が設けられ、該留め部１１２はフック部１３４に係止させることができ、ハウジング１３およびソケット１１を結合する。さらに、前記カバーキャップ２６は覆う形式の環状収納部２６１を有し、その収納部２６１の一側にギャップ部２６２が設けられ、該ギャップ部２６２は調整部材２４に設けられたリブ２４５ａに組付け、係止することができる。
【００３３】
さらに、本発明の別の実施例において、散布ヘッド２のカラー２２の下部２２１ｂは、ソケット１１の収容部１１３内に超音波で緊密に結合、固定される。このうち、散布ヘッド２は調整部材２４、カラー２２、ベース２１および留め具２５を含む。前記調整部材２４に制御部２４１および接触部２４２が設けられ、前記接触部２４２は第１接触面２４２ａおよび第２接触面２４２ｂを有する。該第１接触面２４２ａから凹弧状の組付部２４３の底端が延伸され、なおかつ第２接触面２４２ｂが形成される。前記制御部２４１の軸心は下向きに接触部２４２まで延伸して貫通孔２４３ａを形成し、貫通孔２４３ａの上端に雌ネジ２４３ｂが設けられ、ベース２１の螺接部２１４が挿入、螺合される。
【００３４】
さらに調整部材２４およびベース２１の組合せについて、ベース２１の螺接部２１４がカラー２２の第２擁壁２２４を通過し、さらに調整部材２４の貫通孔２４３ａの雌ネジ２４３ｂに螺合され、なおかつベース２１の嵌合部２１５が貫通孔２４３ａから突出した後、留め具２５により抑える方式で相互に結合する。このように、散布ヘッド２をソケット１１に組み合わせる操作を完成することができる。
【００３５】
散布装置の組立の実施方式は次の通りである。まず、該ハウジング１３の第１環状凹部１３３に第１止水環１２を嵌入させ、さらにハウジング１３のフック部１３４をソケット１１の留め部１１２に係合させる。続いて、散布ヘッド２のカラー２２の下部２２１ｂを超音波接着法により、ソケット１１の収容部１１３に結合し、さらに留め部１１２の上縁に緊密に接着する。このうち、カラー２２の下部２２１ｂの第１凸リブ２２７ａおよび第２凸リブ２２７ｂを、ベース２１の第１制限溝２１２ａおよび第２制限溝２１２ｂに正確に合わせてから嵌合し、ベース２１と相互に組み合わせる必要がある。このうち、ベース２１の螺接部２１４は、カラー２２の第２擁壁２２４を通過する。
【００３６】
続いて、螺接部２１４を調整部材２４の貫通孔２４３ａの雌ネジ２４３ｂに螺合し、最後にカバーキャップ２６のギャップ部２６２を調整部材２４に設けられたリブ２４５ａに組付け、係止し、散布装置の組合せ構造が完成する。図８を参照されたい。図８に示すように、該ソケット１１およびハウジング１３の組合せは、ハウジング１３の第１環状凹部１３３に第１止水環１２を嵌入させ、さらにハウジング１３のフック部１３４をソケット１１の留め部１１２に係合させる。しかし、フック部１３４の上端は散布ヘッド２のベース２１の下端に達し、カラー２２の下部２２１ｂはソケット１１の収容部１１３に接着される。図１０に示すように、このような装置により、ソケット１１をハウジング１３の管状体１３１の上端で回転させることができる。
【００３７】
このほか、ソケット１１から延伸して押部１１４が設けられ、そのため実施、操作の別の機能として、散布装置はソケット１１から延伸、形成される押部１１４により、散布方向の調整を行うことができ、操作パターンは図１０に示す通りである。操作者は手で押部１１４を径方向に回転させるだけで、散布ヘッド２の径方向の散布方向を同時に回転させる。例えば操作者が散布ヘッド２の扇形の出水角度を５〜１５度に設定、調整すると、１つの方向の出水状態が形成されるため、さらに押部１１４を回転させて出水の方位を適合する方向に調整する。操作についてさらに説明すると、散布ヘッド２の出水方向が東側であるが、実際に散布しなければならない方向は西側であるような状況下で、操作者は押部１１４を回転させるだけで、散布ヘッド２の出水方向を西側に向けることができ、調整部材を回転させて出水、散布の角度を変更する必要がない。
【００３８】
以上の記載は、本発明の好ましい実施例に過ぎず、本発明の実施範囲を限定するものではない。本発明で出願する特許範囲に基づいて行われる同等な変化および修飾は、いずれも本発明の特許範囲に包含されるものである。
【符号の説明】
【００３９】
１  台座
１１  ソケット
１１２  留め部
１１３  収容部
１１４  押部
１２  第１止水環
１３  ハウジング
１３１  管状体
１３１ａ  水路空間
１３３  第１環状凹部
１３５  第２環状凹部
１３５ａ  ネジ山部
１３４  フック部
１４  第２止水環
２  散布ヘッド
２１  ベース
２１１  拡大部
２１２  段状部
２１２ａ  第１制限溝
２１２ｂ  第２制限溝
２１３  水流通路
２１４  螺接部
２１４ａ  リング溝
２１５  嵌合部
２２  カラー
２２１ａ  上部
２２１ｂ  下部
２２３  第１擁壁
２２３ａ  螺旋形円錐面
２２３ｂ  凸部
２２４  第２擁壁
２２４ａ  螺旋形円錐面
２２４ｂ  突起
２２４ｂ’  斜面
２２４ｃ  開放間隙
２２５  螺旋凸リブ
２２６  管壁
２２６ａ  第１出水路
２２７ａ  第１凸リブ
２２７ｂ  第２凸リブ
２２８ａ  くぼみ
２２８  連結部
２３  第３止水環
２４  調整部材
２４１  制御部
２４２  接触部
２４２ａ  第１接触面
２４２ｂ  第２接触面
２４２ｂ’  第３接触面
２４３  組付部
２４３ａ  貫通孔
２４３ｂ  雌ネジ
２４５  凹部
２４５ａ  リブ
２５  留め具
２５１  突縁
２５２  溝
２５１ａ  穿孔
２６  カバーキャップ
２６１  収納部
２６２  ギャップ部
Ａ  第１出水間隙
Ｂ  第２出水間隙
Ｃ  第３出水間隙
【図１】
0005938789.tif 000002
【図２】
0005938789.tif 000003
【図３】
0005938789.tif 000004
【図４】
0005938789.tif 000005
【図５】
0005938789.tif 000006
【図６】
0005938789.tif 000007
【図７】
0005938789.tif 000008
【図８】
0005938789.tif 000009
【図８−１】
0005938789.tif 000010
【図９】
0005938789.tif 000011
【図１０】
0005938789.tif 000012